(57)【要約】【課題】桁側端部感知バーの取付け・取外しを容易に行える可搬式作業台を提供する。【解決手段】天板１の両端に梯子状の脚体２，２を設け、天板１の四隅部に手掛かり棒５を立設した可搬式作業台において、天板１の長手方向に対向する両手掛かり棒５，５の上端部間に天板１の桁側端部であることを知らせるための桁側端部感知バー７を架け渡すにあたり、各手掛かり棒５の上端部に上向きに突出するバー取付用ピン１１を設け、各ピン１１には上部側に抜け止め爪１１ａを常時はバネ１１ｂによりピン側面から突出するが、バネ１１ｂに抗して爪１１ａを押えることによりピン１１内部に没入するように設け、桁側端部感知バー７の両端部には夫々バー取付用ピン１１に挿通可能なピン孔１６を設け、天板１の長手方向に対向する両手掛かり棒５，５上端部のバー取付用ピン１１に桁側端部感知バー７両端部のピン孔１６を挿通させて、抜け止め爪１１ａにより抜け止めする。【選択図】図３
2011163068.tif 000002
【特許請求の範囲】
【請求項１】
天板の両端に梯子状の脚体を設け、天板の四隅部に手掛かり棒を立設した可搬式作業台において、天板の長手方向に対向する両手掛かり棒の上端部間に天板の桁側端部であることを知らせるための桁側端部感知バーを架け渡すにあたり、各手掛かり棒の上端部に上向きに突出するバー取付用ピンを設け、桁側端部感知バーの両端部には夫々バー取付用ピンに挿通可能なピン孔を設け、天板の長手方向に対向する両手掛かり棒の上端部のバー取付用ピンに桁側端部感知バーの両端部のピン孔を挿通してなる可搬式作業台。
【請求項２】
天板の両端に梯子状の脚体を設け、天板の四隅部に手掛かり棒を立設した可搬式作業台において、天板の短手方向に対向する両手掛かり棒の上端部間に天板の妻側端部であることを知らせるための妻側端部感知バーを架け渡すにあたり、各手掛かり棒の上端部に上向きに突出するバー取付用ピンを設け、妻側端部感知バーの両端部には夫々バー取付用ピンに挿通可能なピン孔を設け、天板の短手方向に対向する両手掛かり棒の上端部に突出するバー取付用ピンに妻側端部感知バーの両端部のピン孔を挿通してなる可搬式作業台。
【請求項３】
天板の両端に梯子状の脚体を設け、天板の四隅部に手掛かり棒を立設した可搬式作業台において、天板の長手方向に対向する両手掛かり棒の上端部間に天板の桁側端部であることを知らせるための桁側端部感知バーを架け渡すと共に、天板の短手方向に対向する両手掛かり棒の上端部間に天板の妻側端部であることを知らせるための妻側端部感知バーを架け渡すにあたり、各手掛かり棒の上端部に上向きに突出するバー取付用ピンを設け、桁側端部感知バーの両端部及び妻側端部感知バーの両端部には夫々バー取付用ピンに挿通可能なピン孔を設け、天板の長手方向に対向する両手掛かり棒の上端部に突出するバー取付用ピンに桁側端部感知バーの両端部のピン孔を挿通すると共に、天板の短手方向に対向する両手掛かり棒の上端部に突出するバー取付用ピンに妻側端部感知バーの両端部のピン孔を挿通してなる可搬式作業台。
【請求項４】
各手掛かり棒の上端部にピン取付台を設け、このピン取付台上に上向きに突出するバー取付用ピンを取り付けてなる請求項１〜３の何れかに記載の可搬式作業台。
【請求項５】
天板の四隅部に立設されている既設の手掛かり棒の上端部に、所要長さの継ぎ足し棒を連結具によって継ぎ足し、この継ぎ足し棒の上端部に上向きに突出するバー取付用ピンを設けてなる請求項１〜３の何れかに記載の可搬式作業台。
【請求項６】
天板の四隅部に立設されている既設の手掛かり棒の上端部に、所要長さの継ぎ足し棒を連結具によって継ぎ足し、この継ぎ足し棒の上端部にピン取付台を設け、このピン取付台上に上向きに突出するバー取付用ピンを取り付けてなる請求項１〜３の何れかに記載の可搬式作業台。
【請求項７】
各バー取付用ピンの上部側には、抜け止め爪を、常時はバネによりピン側面から突出付勢し、バネに抗して爪を押えることによりピン内部に没入するように取り付けてなる請求項１〜６の何れかに記載の可搬式作業台。
【請求項８】
各バー取付用ピンの上部側には、抜け止めピンを、常時は自重によりバー取付用ピンと交差するように横向きに倒れ、一端側を持ち上げることによりバー取付用ピンの直径内に納まるように取り付けてなる請求項１〜６の何れかに記載の可搬式作業台。
【発明の詳細な説明】
【技術分野】
【０００１】
本発明は、建設現場などにおいて天井の内装仕上げや天井内の配線、配管などの作業を行う時に使用される可搬式作業台に関する。
【背景技術】
【０００２】
作業者が天板の上に乗って上記のような作業を行う場合に、作業者は、天板から足を踏み外さないよう足元の作業位置を確認しながら作業をしなければならないと思いつつも、実際の作業では、天板の桁側端部あるいは妻側端部の確認が難しく、その桁側端部や妻側端部から足の踏み外し現象が発生し易い状況にある。
【０００３】
本出願人は、先に、梯子状脚体を上り下りする際の不測の落下を防止するために天板の四隅部に立設されている手掛かり棒を利用し、天板の長手方向に対向する両手掛かり棒の上端部間に桁側端部感知バーを架け渡し、また天板の短手方向に対向する両手掛かり棒の上端部間に妻側端部感知バーを掛け渡し、作業者が桁側端部感知バーや妻側端部感知バーに触った時にそこが天板の桁側端部や妻側端部であることを作業者に感知させ、それによって天板上での作業中に天板の桁側端部や妻側端部からの不測の落下を未然に防ぐようにした可搬式作業台を出願している。
【発明の概要】
【発明が解決しようとする課題】
【０００４】
先の出願の作業台では、天板の長手方向に対向する両手掛かり棒の上端部間に、桁側端部感知バーの両端部を夫々取付具を介して脱着自在に取り付け、また天板の短手方向に対向する両手掛かり棒の上端部間に妻側感知バーの両端部を夫々取付具を介して脱着自在に取り付けるようにしているため、感知バーの取付け及び取外しに手間と時間がかかるという問題があった。
【０００５】
本発明は、上記の事情に鑑み、桁側端部感知バーや妻側端部感知バーの取付け及び取外しを迅速容易に行える可搬式作業台を提供することを目的とする。
【課題を解決するための手段】
【０００６】
上記課題を解決するための手段を、後述する実施形態の参照符号を付して説明すると、請求項１に係る発明は、天板１の両端に梯子状の脚体２，２を設け、天板１の四隅部に手掛かり棒５を立設した可搬式作業台において、天板１の長手方向に対向する両手掛かり棒５，５の上端部間に天板１の桁側端部であることを知らせるための桁側端部感知バー７を架け渡すにあたり、各手掛かり棒５の上端部に上向きに突出するバー取付用ピン１１を設け、桁側端部感知バー７の両端部には夫々バー取付用ピン１１に挿通可能なピン孔１６を設け、天板１の長手方向に対向する両手掛かり棒５，５の上端部のバー取付用ピン１１，１１に桁側端部感知バー７の両端部のピン孔１６，１６を挿通してなることを特徴とする。
【０００７】
請求項２に係る発明は、天板１の両端に梯子状の脚体２，２を設け、天板１の四隅部に手掛かり棒５を立設した可搬式作業台において、天板１の短手方向に対向する両手掛かり棒５，５の上端部間に天板１の妻側端部であることを知らせるための妻側端部感知バー８を架け渡すにあたり、各手掛かり棒５の上端部に上向きに突出するバー取付用ピン１１を設け、妻側端部感知バー８の両端部には夫々バー取付用ピン１１に挿通可能なピン孔１６を設け、天板１の短手方向に対向する両手掛かり棒５，５の上端部に突出するバー取付用ピン１１，１１に妻側端部感知バー８の両端部のピン孔１６，１６を挿通してなることを特徴とする。
【０００８】
請求項３に係る発明は、天板１の両端に梯子状の脚体２，２を設け、天板１の四隅部に手掛かり棒５を立設した可搬式作業台において、天板１の長手方向に対向する両手掛かり棒５，５の上端部間に天板１の桁側端部であることを知らせるための桁側端部感知バー７を架け渡すと共に、天板１の短手方向に対向する両手掛かり棒５，５の上端部間に天板１の妻側端部であることを知らせるための妻側端部感知バー８を架け渡すにあたり、各手掛かり棒５の上端部に上向きに突出するバー取付用ピン１１を設け、桁側端部感知バー７の両端部及び妻側端部感知バー８の両端部には夫々バー取付用ピン１１に挿通可能なピン孔１６を設け、天板１の長手方向に対向する両手掛かり棒５，５の上端部に突出するバー取付用ピン１１，１１に桁側端部感知バー７の両端部のピン孔１６，１６を挿通すると共に、天板１の短手方向に対向する両手掛かり棒５の上端部に突出するバー取付用ピン１１，１１に妻側端部感知バー８の両端部のピン孔１６，１６を挿通してなることを特徴とする。
【０００９】
請求項４は、請求項１〜３の何れかに記載の可搬式作業台において、各手掛かり棒５の上端部にピン取付台１０を設け、このピン取付台１０上に上向きに突出するバー取付用ピン１１を取り付けてなることを特徴とする。
【００１０】
請求項５は、請求項１〜３の何れかに記載の可搬式作業台において、天板１の四隅部に立設されている既設の手掛かり棒５の上端部に、所要長さの継ぎ足し棒５ａを連結具９によって継ぎ足し、この継ぎ足し棒５ａの上端部に上向きに突出するバー取付用ピン１１を設けてなることを特徴とする。
【００１１】
請求項６は、請求項１〜３の何れかに記載の可搬式作業台において、天板１の四隅部に立設されている既設の手掛かり棒５の上端部に、所要長さの継ぎ足し棒５ａを連結具９によって継ぎ足し、この継ぎ足し棒５ａの上端部にピン取付台１０を設け、このピン取付台１０上に上向きに突出するバー取付用ピン１１を取り付けてなることを特徴とする。
【００１２】
請求項７は、請求項１〜６の何れかに記載の可搬式作業台において、各バー取付用ピン１１の上部側には、抜け止め爪１１ａを、常時はバネ１１ｂによりピン１１側面から突出付勢し、バネ１１ｂに抗して爪１１ａを押えることによりピン１１内部に没入するように取り付けてなることを特徴とする。
【００１３】
請求項８は、請求項１〜６の何れかに記載の可搬式作業台において、各バー取付用ピン１１の上部側には、抜け止めピン２１を、常時は自重によりバー取付用ピン１１と交差するように横向きに倒れ、一端側を持ち上げることによりバー取付用ピン１１の直径内に納まるように取り付けてなることを特徴とする。
【発明の効果】
【００１４】
上記解決手段による発明の効果を、後述する実施形態の参照符号を付して説明すると、請求項１に係る発明によれば、各手掛かり棒５の上端部に上向きに突出するバー取付用ピン１１を設け、各ピン１１には上部側に抜け止め爪１１ａを常時はバネ１１ｂによりピン１１側面から突出付勢するが、バネ１１ｂに抗して爪１１ｂを押えることによりピン１１内部に没入するように設け、桁側端部感知バー７の両端部には夫々バー取付用ピン１１に挿通可能なピン孔１６を設けているから、天板１の長手方向に対向する両手掛かり棒５，５の上端部に突出するバー取付用ピン１１，１１に桁側端部感知バー７の両端部のピン孔１６，１６を挿通することにより、桁側端部感知バー７を迅速容易に取り付けることができる。また桁側端部感知バー７を取り外す時は、感知バー７の端部を持ち上げればよいから、感知バー７の取り外しも迅速容易に行うことができる。
【００１５】
請求項２に係る発明によれば、各手掛かり棒５の上端部に上向きに突出するバー取付用ピン１１を設け、各ピン１１には上部側に抜け止め爪１１ａを常時はバネ１１ｂによりピン１１側面から突出付勢するが、バネ１１ｂに抗して爪１１ｂを押えることによりピン１１内部に没入するように設け、妻側端部感知バー８の両端部には夫々バー取付用ピンに１１挿通可能なピン孔１６を設けているから、天板１の短手方向に対向する両手掛かり棒５，５の上端部に突出するバー取付用ピン１１，１１に妻側端部感知バー８の両端部のピン孔１６，１６を挿通することによって、妻側端部感知バー８を迅速容易に取り付けることができる。また妻側端部感知バー８を取り外す時は、妻側端部感知バー８の端部を持ち上げればよいから、感知バー８の取り外しも迅速容易に行える。
【００１６】
請求項３に係る発明によれば、各手掛かり棒５の上端部に上向きに突出するバー取付用ピン１１を設け、各ピン１１には上部側に抜け止め爪１１ａを常時はバネ１１ｂによりピン１１側面から突出付勢するが、バネ１１ｂに抗して爪１１ｂを押えることによりピン１１内部に没入するように設け、桁側端部感知バー７の両端部及び妻側端部感知バー８の両端部に夫々バー取付用ピンに１１挿通可能なピン孔１６を設けているから、天板１の長手方向に対向する両手掛かり棒５，５の上端部に突出するバー取付用ピン１１，１１に桁側端部感知バー７の両端部のピン孔１６，１６を挿通することによって、桁側端部感知バー７を迅速容易に取り付けることができ、また天板１の短手方向に対向する両手掛かり棒５，５の上端部に突出するバー取付用ピン１１，１１に妻側端部感知バー８の両端部のピン孔１６，１６を挿通することにより、妻側端部感知バー８を迅速、容易に取り付けることができる。また感知バー７，８を取り外す時は、感知バー７，８の端部を持ち上げればよいから、感知バー７，８の取り外しも迅速容易である。
【００１７】
請求項４に係る発明によれば、各手掛かり棒５の上端部にピン取付台１０を設け、このピン取付台１０上にバー取付用ピン１１を取り付けるようにしているから、手掛かり棒５の上端部に直接バー取付用ピン１１を取り付けるのに比べ、ピン１１の取付けが容易となり、また桁側端部感知バー７又は妻側端部感知バー８として、既製の交差筋交いのバーを使用する場合に、そのバーの長さに合わせて、バー取付用ピン１１の取付位置を設定することができるから、既製の交差筋交いのバーを有効に利用することができる。
【００１８】
請求項５に係る発明によれば、作業台Ｔの天板１に設置されている手掛かり棒５には種々の長さのものがあるから、感知バー７を架け渡そうとする手掛かり棒５の長さが短い場合には、既設の手掛かり棒５の上端部に、所要長さの継ぎ足し棒５ａを連結具９によって継ぎ足し、この連結具９を介して既設の手掛かり棒５に継ぎ足した、天板１の長手方向又は短手方向に対向する継ぎ足し棒５ａ，５ａ間に感知バー７又は８を架け渡すことができ、これによって良好な感知作用を発揮させることができる。
【００１９】
請求項６に係る発明によれば、既設の手掛かり棒５の上端部に、所要長さの継ぎ足し棒５ａを連結具９により継ぎ足し、この継ぎ足し棒５ａの上端部にピン取付台１０を設け、このピン取付台１０上にバー取付用ピン１１を取り付けるようにしているから、継ぎ足し棒５ａの上端部にバー取付用ピン１１を直接設置するのに比べ、ピン１１の設置が容易となり、また桁側端部感知バー７又は妻側端部感知バー８として、既製の交差筋交いのバーを使用する場合に、そのバーの長さに合わせてバー取付用ピン１１の取付位置を設定することができるから、既製の交差筋交いのバーを有効に利用できる。
【００２０】
請求項７に係る発明のように、各バー取付用ピン１１の上部側に抜け止め爪１１ａを取り付けることにより、バー取付用ピン１１に挿通した桁側端部感知バー７又は妻側端部感知バー８が抜け出るのを簡単に防止できる。
【００２１】
請求項８に係る発明のように、各バー取付用ピン１１の上部側に抜け止めピン２１を取り付けることにより、バー取付用ピン１１に挿通した桁側端部感知バー７又は妻側端部感知バー８が抜け出るのを簡単に防止できる。
【図面の簡単な説明】
【００２２】
【図１】(a) は本発明に係る可搬式作業台の平面図、(b) は正面図である。
【図２】(a) は同上の可搬式作業台の側面図、(b) は折り畳んだ可搬式作業台を複数段に積み重ねた状態を示す正面図である。
【図３】(a) は図１の(a) の矢印Ａで示す部分の拡大図、(b) は図１の(b) の矢印Ｂで示す部分の拡大図、(c) は同上の可搬式作業台の一部平面図である。
【図４】天板の四隅部に立設された手掛かり棒の上端部のバー取付用ピンに、妻側端部感知バーの端部と桁側端部感知バーの端部とを重ねて取り付けている状態を示す斜視図である。
【図５】(a) は手掛かり棒の上端部に継ぎ足し棒を連結具によって継ぎ足し、この継ぎ足し棒の上端部にピン取付台を介してバー取付用ピンを突設した状態の正面図、(b) は側面図、(c) は平面図、(d) は(a) のＤ−Ｄ線拡大断面図、(e) は(a) のＥ−Ｅ線拡大断面図である。
【図６】(a) は抜け止め爪付きのバー取付用ピンが突設されたピン取付台の正面図、(b) は側面図、(c) は平面図である。
【図７】(a) は抜け止めピン付きのバー取付用ピンが突設されたピン取付台の正面図、(b) は側面図、(c) は平面図である。
【図８】(a) は桁側端部感知バー又は妻側端部感知バーの平面図、(b) は正面図であり、(c) は側面図である。
【発明を実施するための形態】
【００２３】
以下に本発明の一実施形態を図面に基づいて説明すると、図１の(a) ，(b) 及び図２の(a) に示す可搬式作業台Ｔにおいて、天板１の左右両端に、夫々梯子状の脚体２，２が、夫々回転金具３によって、図１の(b) に示すように末広がり状に傾斜して起立した開脚状態と、天板１の下面に沿うように折り畳んだ閉脚状態（図２の(b) 参照）との間で開閉可能に設けられ、天板１と脚体２との間には途中で屈曲自在なステイ４が介装されている。梯子状脚体２は、図２の(a) に示すように若干末広がり状に配置された両側一対の脚柱２ａ，２ａと、両脚柱２ａ，２ａ間に複数段に横架された踏桟２ｂとにより構成される。
【００２４】
天板１の四隅部には、脚体２と天板１との昇降口に位置するように手掛かり棒５が設けられ、各手掛かり棒５は、その下端部が、脚体２の外側面側上端部に装着された取付金具６（図２の(a) 参照）により回転可能に枢着されて、図１の(b) 及び図２の(a) に実線で示すような起立姿勢と、同図に仮想線で示すように、梯子状脚体２の脚柱２ａに沿って折り畳まれた折畳姿勢とに姿勢変更できるようになっている。
【００２５】
そして、天板１の長手方向に対向する両手掛かり棒５，５の上端部間には、天板１の妻側端部であることを知らせるための桁側端部感知バー７が架け渡され、天板１の短手方向に対向する両手掛かり棒５，５の上端部間には、天板１の妻側端部であることを知らせるための妻側端部感知バー８が架け渡されるようになっている。これらの桁側端部感知バー７及び妻側端部感知バー８は、天板１上で作業している作業者がこれに触れた時に、その触れた地点が天板１の桁側端部であり、また妻側端部であることを感知させるためのもので、作業者が体重をかけたり、少し強く触ったら潰れるような構造的強度の弱いものであって、対向する手掛かり棒の上端部間に手摺りとして架け渡される上横桟とは全く役割が異なる。尤も、構造的強度の高い手摺り部材を用いることを除外するものではない。
【００２６】
各手掛かり棒５の上端部側の構造ならびに桁側端部及び妻側端部感知バー７，８の構造について以下に詳しく説明する。
【００２７】
手掛かり棒５には種々の長さのものがあるから、天板１の四隅部に手掛かり棒５を立設する際に、手掛かり棒５の長さが短い場合は、図１の(b) 及び図２の(a) に示すように、既設の手掛かり棒５の上端部に、所要長さの継ぎ足し棒５ａを連結具９によって継ぎ足すようにすればよい。連結具９の具体的構造の一例としては、図５の(a) ，(b) ，(d) 及び(e) に示すように、既設の手掛かり棒５の上端部と上記継ぎ足し棒５ａの下端部とにわたってコ字枠本体９ａを嵌合して、コ字枠本体９ａの上部側と継ぎ足し棒５ａの下端部とをリベットＲにより結合し、コ字枠本体９ａ下部側の張出フランジ９ａｏ，９ａｏをボルト・ナット９ｂで締結することによって、手掛かり棒５の上端部に継ぎ足し棒５ａを継ぎ足し連結している。
【００２８】
上記のように手掛かり棒５の上端部に継ぎ足された継ぎ足し棒５ａの上端部にピン取付台１０が設けられ、このピン取付台１０の上にバー取付用ピン１１が上向きに突出するように設けられている。ピン取付台１０は、図５及び図６に示すように、上板１２ａと両側板１２ｂ，１２ｂとからなる天板長手方向に長いコ字枠状の台本体１２、及び上板部１３ａと両側板部１３ｂ，１３ｂとからなるコ字枠状の添え枠１３からなるもので、台本体１２は、その一端部側が前記継ぎ足し棒５ａの上端部に嵌合されてリベットＲで固定され、添え枠１３は、台本体１２の一方の側板１２ｂの外面先端部において上板部１３ａが台本体１２の上板１２ａと面一となる状態で溶接によって固定されている。
【００２９】
バー取付用ピン１１は、図６の(a) 〜(c) に示すように、上端外周縁部が面取りされて挿入ガイド１４を形成している円柱状のピン本体１１ｏと、このピン本体１１ｏの上部側に設けられた略末広がりテーパ状の抜け止め爪１１ａとからなるもので、抜け止め爪１１ａは、上端部がピン本体１１ｏに枢軸１５により枢着されて、常時はバネ１１ｂの付勢力によりピン本体１１ｏの側面から突出するが、バネ１１ｂに抗して爪１１ａを押えることによりピン本体１１ｏの凹部１１ｃ内に没入するようになっており、そしてピン１１は、ピン取付台１０の台本体１２の上板１２ａとこれに隣接する添え枠１３の上板部１３ａとの境界部分に上向きに固着されている。尚、バー取付用ピン１１は、後記のように感知バー７，８として既製の交差筋交いを使用する時に、その交差筋交いのバーの長さに応じて台本体１２の上板１２ａあるいは添え枠１３の上板部１３ａの所要位置に取り付けることができる。
【００３０】
上述した図３〜図６に示すバー取付用ピン１１はバネ式の抜け止め爪１１ａを取り付けたものであるが、図７には、バネ式抜け止め爪１１ａに代えて折れピン式の抜け止めピン１１ｄを備えたバー取付用ピン１１を示す。図７の(a) 〜(c) は図６の(a) 〜(c) に対応するもので、(a) は抜け止めピン１１ｄ付きのバー取付用ピン１１が突設されたピン取付台１０の正面図、(b) は側面図、(c) は平面図である。
【００３１】
図７に示すバー取付用ピン１１は、円柱状のピン本体１１ｏの上部側に、抜け止めピン１１ｄを、常時は自重によってバー取付用ピン１１と交差するように横向きに倒れ、その一端側を持ち上げることによってバー取付用ピン１１の直径内に納まるように取り付けている。抜け止めピン１１ｄは矩形板状に形成されたもので、その長手方向一端部側寄りに長孔１１ｅを有し、このピン１１ｄを、ピン本体１１ｏの上端面からその高さ方向中間部まで切欠形成された溝１１ｆに挿入して、ピン１１ｄの長孔１１ｅにピン本体１１ｏを貫通する取付軸１１ｇを挿通することにより、常時は図７の(b) に示すように自重でバー取付用ピン１１と十字状に交差するように横向きに倒れて、抜け止め機能を発揮し、同図の仮想線で示すように、ピン１１ｄの一端側を持ち上げることによってピン１１ｄがバー取付用ピン１１の直径内に納まり、挿通した感知バー７，８の端部の抜き取りができるようにしたものである。尚、円柱状ピン本体１１ｏの上端部は半球状の挿入ガイド１４を形成している。この抜け止めピン１１ｄ付きバー取付用ピン１１のピン取付台１０への取付位置、及びそのピン取付台１０の構造は、図６に示すものと同一であることから、その説明を省略する。
【００３２】
桁側端部感知バー７及び妻側端部感知バー８の夫々の両端部には、前記バー取付用ピン１１に挿通可能なピン孔１６が設けられている。各感知バー７，８は、図８の(a) ，(b) に示すように、鋼製のパイプ材を所定長さにカットして、その両端部７ａ，７ａ又は８ａ，８ａを夫々偏平板状に形成し、この偏平板状端部７ａ又は８ａにピン孔１６を貫設したもので、各ピン孔１６は、バー取付用ピン１１の外径よりも若干大きい内径に形成されている。これら桁側端部感知バー７及び妻側端部感知バー８は、枠組足場の交差筋交いとして使用されるバーと同じ構造のものであるため、そのような既製の交差筋交いをそのまま使用することができる。
【００３３】
そして、桁側端部感知バー７を天板１の長手方向に対向する手掛かり棒５，５の上端部間に架け渡すには、この感知バー７の両端部のピン孔１６，１６を、対向する手掛かり棒５，５の上端部に突出したバー取付用ピン１１，１１に上方より挿通させればよく、また妻側端部感知バー８を天板１の短手方向に対向する手掛かり棒５，５の上端部間に架け渡す時も同様で、この感知バー８の両端部のピン孔１６，１６を、対向する手掛かり棒５，５の上端部に突出したバー取付用ピン１１，１１に上方より挿通させればよい。各感知バー７，８の端部のピン孔１６をバー取付用ピン１１に対しその上方より挿通させる時は、バネ式抜け止め爪１１ａ付きのバー取付用ピン１１の場合には、図４から分かるように、バー取付用ピン１１の上部側にピン本体１１ｏの側面から末広がりテーパ状に突出する抜け止め爪１１ａがバネ１１ｂの付勢力に抗してピン本体１１ｏの凹部１１ｃ内に押し込められ、感知バー７，８のピン孔１６が抜け止め爪１１ａを通過してピン１１の下部側に至ると、抜け止め爪１１ａがバネ１１ｂの付勢力で元の位置に復帰して、感知バー７，８の端部の抜け出しを阻止するようになっている。そして、感知バー７，８を取り外す時は、バー取付用ピン１１の抜け止め爪１１ａを手で押えた状態で、各感知バー７，８の端部を持ち上げるだけで、簡単に取り外すことができる。また、折れピン式抜け止めピン１１ｄの場合には、図７に示すように、抜け止めピン１１ｄの一端部を持ち上げてピン１１ｄがバー取付用ピン１１の直径内に納まるようにした状態で、感知バー７，８の端部のピン孔１６をバー取付用ピン１１に挿通させた後、ピン１１ｄから手を離せば、ピン１１ｄは自重でバー取付用ピン１１と十字状に交差するように横向きに倒れて、感知バー７，８の端部の抜け出しを阻止することができる。感知バー７，８を取り外す時には、抜け止めピン１１ｄの一端部を持ち上げれば、簡単に取り外すことができる。
【００３４】
上記のように構成される可搬式作業台Ｔの使用法について説明すると、図１は作業台Ｔの使用状態を示したもので、両脚体２，２が開脚され、各手掛かり棒５が起立姿勢に保持されていて、天板１の長手方向に対向する手掛かり棒５，５の上端部間に桁側端部感知バー７が架け渡されていると共に、天板１の短手方向に対向する手掛かり棒５，５の上端部間に妻側端部感知バー８が架け渡されている。
【００３５】
桁側端部感知バー７及び妻側端部感知バー８の架け渡しにあたって、図１〜図３に示す実施形態では、図３の(a) ，(b) から分かるように、桁側端部感知バー７を天板１の長手方向に対向する手掛かり棒５，５の上端部のバー取付用ピン１１，１１に掛け渡した後、妻側端部感知バー８を天板１の短手方向に対向する手掛かり棒５，５の上端部のバー取付用ピン１１，１１に掛け渡している。こうすれば、作業者が脚体２を使って天板１上に昇る時や天板１から脚体２を使って降りる時には、妻側端部感知バー８の一端部側を持ち上げてバー取付用ピン１１から外せば、図３の(c) に示すようにバー８の他端部を中心に自由に回転させることができて、昇降口を作業者が自分で簡単に開けることができるから、昇降が容易となる。尚、図４は、妻側端部感知バー８を天板１の短手方向に対向する手掛かり棒５，５上端部のバー取付用ピン１１，１１に掛け渡した後、桁側端部感知バー７を天板１の長手方向に対向する手掛かり棒５，５上端部のバー取付用ピン１１，１１に掛け渡した状態を示している。
【００３６】
上記のように天板１の長手方向に対向する手掛かり棒５，５の上端部間に桁側端部感知バー７を架け渡すと共に、天板１の短手方向に対向する手掛かり棒５，５の上端部間に妻側端部感知バー８を架け渡すことによって、天板１上で作業する作業者は、桁側端部感知バー７に触れた時は、その触れた地点が天板１の桁側端部であることを感知でき、また妻側端部感知バー８に触れた時は、その触れた地点が天板１の妻側端部であることを感知できるから、天板１からの転落などの事故を防止することができる。
【００３７】
そして、作業台Ｔを使用後に折り畳む時は、先ず、桁側端部感知バー７及び妻側端部感知バー８を取り外す。この感知バー７，８を取り外す時は、上記したように、バネ式抜け止め爪１１ａ付きのバー取付用ピン１１の場合は、手掛かり棒５の上端部に突出しているバー取付用ピン１１の抜け止め爪１１ａを手で押えた状態とし、また折れピン式抜け止めピン１１ｄの場合は、抜け止めピン１１ｄの一端部を持ち上げた状態としてから、各感知バー７，８の端部を持ち上げればよい。こうして桁側端部感知バー７及び妻側端部感知バー８を取り外した後、各手掛かり棒５を、図１の(b) 及び図２の(a) に仮想線で示すように脚体２の脚柱２ａに沿って折り畳み、そして更に図２の(b) に示すように、両脚体２，２を天板１の下面に平行に沿うように折り畳み閉脚して、作業台Ｔの全体を偏平状態となるように折り畳む。このように作業台Ｔの全体を偏平状態に折り畳むことにより、運搬や保管に便利となる。尚、図２の(b) は、偏平状態に折り畳んだ作業台Ｔを脚体２が上側に位置するように引っ繰り返して、複数段に積み重ねた状態を示す。
【００３８】
以上説明した実施形態の可搬式作業台Ｔによれば、各手掛かり棒５の上端部に上向きに突出するバー取付用ピン１１を設け、各ピン１１には上部側に抜け止め爪１１ａを常時はバネによりピン１１側面から突出付勢するが、バネ１１ｂに抗して爪１１ｂを押えることによりピン１１内部に没入するように設け、桁側端部感知バー７の両端部及び妻側端部感知バー８の両端部に夫々バー取付用ピン１１に挿通可能なピン孔１６を設けているから、天板１の長手方向に対向する両手掛かり棒５，５の上端部に突出するバー取付用ピン１１，１１に桁側端部感知バー７の両端部のピン孔１６，１６を挿通することによって、桁側端部感知バー７を迅速容易に取り付けることができ、また天板１の短手方向に対向する両手掛かり棒５，５の上端部に突出するバー取付用ピン１１，１１に妻側端部感知バー８の両端部のピン孔１６，１６を挿通することによって、妻側端部感知バー８を迅速容易に取り付けることができる。しかも、各感知バー７，８の端部のピン孔１６をバー取付用ピン１１に挿通することにより、抜け止め爪１１ａあるいは抜け止めピン１１ｄの作用により自動的に抜け止めを行うことができる。また、感知バー７，８を取り外す時は、バー取付用ピン１１のバネ式抜け止め爪１１ａを手で押えた状態で、また折れピン式抜け止めピン１１ｄの場合はピン１１ｄの一端部を持ち上げた状態で、感知バー７，８の端部を持ち上げればよいから、感知バー７，８の取り外しも迅速容易に行うことができる。
【００３９】
また、以上説明した実施形態の可搬式作業台Ｔでは、天板１の長手方向に対向する両手掛かり棒５，５の上端部間に桁側端部感知バー７を架け渡すと共に、天板１の短手方向に対向する両手掛かり棒５，５の上端部間に妻側端部感知バー８を架け渡すようにしているが、妻側端部感知バー８を省略して、桁側端部感知バー７のみ取り付けるようにしてもよい。即ち、天板１の長手方向に対向する両手掛かり棒５，５の上端部に突出するバー取付用ピン１１，１１に桁側端部感知バー７の両端部のピン孔１６，１６を挿通するだけでもよい。
【００４０】
あるいは、桁側端部感知バー７を省略して、妻側端部感知バー８のみ取り付けるようにしてもよい。即ち、天板１の短手方向に対向する両手掛かり棒５，５の上端部に突出するバー取付用ピン１１，１１に妻側端部感知バー８の両端部のピン孔１６，１６を挿通するだけでもよい。
【００４１】
また、上述した実施形態の可搬式作業台Ｔでは、手掛かり棒５の上端部に継ぎ足された継ぎ足し棒５ａの上端部にピン取付台１０を設置し、このピン取付台１０上にバー取付用ピン１１を上向きに突設しているが、手掛かり棒５の上端部又は手掛かり棒５の上端部に継ぎ足された継ぎ足し棒５ａの上端部に、バー取付用ピン１１を直接突設してもよい。
【００４２】
但し、この実施形態のように、手掛かり棒５の上端部、又は手掛かり棒５の上端部に継ぎ足された継ぎ足し棒５ａの上端部にピン取付台１０を設置して、このピン取付台１０上にバー取付用ピン１１を突設するようにすれば、バー取付用ピン１１の取付けが容易に行えると共に、桁側端部感知バー７及び妻側端部感知バー８として、既製の交差筋交いのバーを使用する場合に、その既製バーの長さに合わせて、バー取付用ピン１１の取付位置を任意に設定することができるから、大量に存在する既製の交差筋交いのバーを有効に利用することができる利点がある。
【符号の説明】
【００４３】
Ｔ            可搬式作業台
１            天板
２            脚体
５            手掛かり棒
５ａ          継ぎ足し棒
７            桁側端部感知バー
８            妻側端部感知バー
９            連結具
１０          ピン取付台
１１          バー取付用ピン
１１ｏ        ピン本体
１１ａ        抜け止め爪
１１ｂ        バネ
１１ｄ        抜け止めピン
１１ｅ        長孔
１１ｆ        溝
１１ｇ        取付軸
１２          台本体
１３          添え枠
１６          感知バー端部のピン孔
【図１】
2011163068.tif 000003
【図２】
2011163068.tif 000004
【図３】
2011163068.tif 000005
【図４】
2011163068.tif 000006
【図５】
2011163068.tif 000007
【図６】
2011163068.tif 000008
【図７】
2011163068.tif 000009
【図８】
2011163068.tif 000010